(57)【要約】      （修正有）【課題】ロック機構自体をコンパクト化し、各部材の寸法精度のバラツキにも対応することができるロック機構を備えた飲料容器の口栓装置を提供する。【解決手段】係合爪１５を含む揺動可能なロック部材の揺動を規制する係合突起２１を含むストッパ部を備え、ストッパ部は、ロック部材の内側に配置され、口栓本体のロック機構６収容室内にロック部材とは独立してガイド軸３１により上下スライド可能に案内される。また、ロック部材の上下方向中間位置にはストッパ部を操作可能とする中央窓１８が形成され、この中央窓を通して外側からストッパ部を操作可能とする操作部１９をストッパ部と一体形成する。ストッパ部をロック部材の内側に独立して配置しているので、夫々の寸法精度のバラツキにも対応することができ、また、ロック部材の中央窓を通してストッパ部を操作可能としているので、全体的にコンパクト化が可能となる。【選択図】図１０
0003190286.tif 000002
【実用新案登録請求の範囲】
【請求項１】
容器本体の口元外周に注出口を有する口栓本体が螺着され、前記口栓本体に前記注出口を開閉可能とする蓋体がヒンジ軸を介して回動可能に設けられ、前記蓋体の回動端を口栓本体に対して閉姿勢にロック可能なロック機構が設けられた飲料容器の口栓装置において、
前記ロック機構は、
蓋体の回動端に設けられた係合部に係脱可能に係合する係合爪を上部に備え、下部に押圧操作部を備え、前記係合部を係合爪に係合するロック姿勢と前記係合部を係合爪から解除するロック解除姿勢との間で横軸周りに揺動可能なロック部材と、
前記ロック部材をロック姿勢においてその揺動を規制するストッパ部とを備え、
前記ストッパ部は、口栓本体のロック部材よりも内側に配置され、口栓本体にロック部材とは独立して上下スライド可能に案内され、
前記ロック部材には、その上下方向中間位置にストッパ部を操作可能とする中央窓が貫通形成され、前記中央窓を通して外側から前記ストッパ部を操作可能とする操作部が前記ストッパ部と一体形成されたことを特徴とする飲料容器の口栓装置。
【請求項２】
前記ストッパ部は、その上下方向の縦穴が形成され、前記縦穴に口栓本体側からのガイド軸が挿入され、前記ストッパ部は、前記縦穴の上下方向長さ分だけ上下方向に移動可能とされた請求項１に記載の飲料容器の口栓装置。
【請求項３】
前記ストッパ部の上端に前記ロック部材をロック姿勢で揺動するのを阻止する係合突起が突設され、前記係合突起がストッパ部の上下移動方向の上位置で、前記ロック部材の裏面に形成された下開放の係合凹部に侵入可能とされ、前記ロック部材のロック姿勢でかつストッパ部の上下移動方向の上位置で、前記係合突起が前記係合凹部に入り込み、ロック部材を前記横軸周りに回動させようとしても前記係合凹部の側壁に前記ストッパ部の係合突起が当接してロック部材の揺動が規制されることを特徴とする請求項１に記載の飲料容器の口栓装置。
【請求項４】
前記ロック部材のロック姿勢で、前記ストッパ部の係合突起とロック部材の係合凹部との間に寸法精度の違いを許容するための隙間が形成されたことを特徴とする請求項３に記載の飲料容器の口栓装置。
【請求項５】
前記ストッパ部を上下移動方向の上位置において、その上姿勢を維持するためのストッパ部案内部材が口栓本体に設けられ、該案内部材には前記ストッパ部の後端と前記案内部材とのうちのいずれか一方に形成された窪みと、他方に形成され前記窪みに弾性的に接触する凸部とを備えた請求項１〜５のいずれかに記載の飲料容器の口栓装置。
【請求項６】
前記ストッパ部案内部材の裏面の上下部に口栓本体に係合するための係合部が形成され、前記案内部材は口栓本体に着脱可能に嵌めこまれた請求項１〜５のいずれかに記載の飲料容器の口栓装置。
【請求項７】
前記口栓本体の蓋体回動端側に保護壁が形成され、前記保護壁に囲まれて収容室が形成され、前記収容室に前記ロック機構が収容された請求項１〜６のいずれかに記載の飲料容器の口栓装置。
【請求項８】
前記ストッパ部を操作する操作部が前記保護壁の高さよりも低く形成され、保護壁から後退した位置に配置される請求項７に記載の飲料容器の口栓装置。
【請求項９】
ロック部材は、横軸よりも上端側に係合爪を備え、横軸よりも下方の表面側をロック部材を押圧する押圧操作部とされ、押圧操作部の裏面側と前記口栓本体との間に、前記ロック部材を係合爪の係合方向に付勢する付勢バネが介在された請求項１〜８のいずれかに記載の飲料容器の口栓装置。
【請求項１０】
前記蓋体を開放方向に付勢するバネがヒンジ軸に設けられた請求項１〜９のいずれかに記載の飲料容器の口栓装置。
【考案の詳細な説明】
【技術分野】
【０００１】
本考案は、容器本体の口元外周に被着される口栓本体と、口栓本体の注出口を開閉する片開き蓋体と、蓋体を口栓本体に対して閉姿勢にロックするロック機構とを備えた飲料容器の口栓装置に関するものである。
【背景技術】
【０００２】
この種の飲料容器の口栓装置では、蓋体を口栓本体に対して閉姿勢にロックするロック機構が、基本的に蓋体の先端に係合して蓋体を閉姿勢にロックするよう揺動可能なロック部材と、ロック部材をロック姿勢に維持するようロック部材を規制するストッパ部とを備えている。
【０００３】
従来からロック機構におけるロック部材とストッパ部との配置は種々の態様が開示されている。
【０００４】
特許文献１では、ロック部材の下側にストッパ部を配列し、ストッパ部を上下方向にスライドしてストッパ部の上端をロック部材の下端に当接することで、ロック部材の揺動を阻止する態様が開示されている。
【０００５】
特許文献２では、ストッパ部をロック部材の上方よりロック部材の上部に差し込み、ストッパ部をロック部材の上方前面で上下動可能とし、ストッパ部の移動の上限でロック部材の開閉操作をロックし、ストッパ部の移動の加減でロック部材の開閉操作のロックを解除してロック部材と共に蓋体を開放可能とする態様が開示されている。
【０００６】
特許文献３では、ロック部材の上側にストッパ部を配列し、ストッパ部を堅開き蓋の外面壁に沿った円弧状規制を有して上下動し、下動によってロック部材の先端係合付けの背部に位置してロック解除を阻止する態様が開示されている。
【０００７】
特許文献４には、ロック部材の前面側にストッパ部を配置し、ストッパ部を上下動可能とし、下動してロック部材よりも下方に突出した操作部にてロック部材のロック姿勢を解除する態様が開示されている。
【先行技術文献】
【特許文献】
【０００８】
【特許文献１】特許4143383号公報
【特許文献２】実用新案登録第3178720号公報
【特許文献３】特開2011-251707号公報
【特許文献４】特開2011-235920号公報
【考案の概要】
【考案が解決しようとする課題】
【０００９】
しかしながら、ロック部材とストッパ部とは、特許文献４を除き、上下方向に配列されているため、ロック機構の上下方向が長くなり、コンパクト化に難点がある。
【００１０】
また、特許文献４では、ロック部材とストッパ部とは前後方向に配列されているため、上下方向で部材の配置が長くなる欠点は解決されているが、ロック部材とストッパ部とは互いに前後方向で連携しているため、両者の寸法が僅かに相違していても、両者の連携に支障を来たすおそれがある。
【００１１】
また、他の特許文献１，２，３においてもロック部材とストッパ部とは互いに連携しているため、寸法の僅かな相違により、両者の連携に支障を来たすおそれがあった。
【００１２】
本考案は、ロック部材とストッパ部との配置を工夫することで、コンパクトなロック機構を備えた口栓構造の提供を目的としている。また、本考案は、ロック部材とストッパ部との寸法精度のバラツキにも対応できる口栓構造の提供も目的としている。
【課題を解決するための手段】
【００１３】
上記目的を達成するために、本考案においては、容器本体の口元外周に注出口を有する口栓本体が螺着され、前記口栓本体に前記注出口を開閉可能とする蓋体がヒンジ軸を介して回動可能に設けられ、前記蓋体の回動端を口栓本体に対して閉姿勢にロック可能なロック機構が設けられた飲料容器の口栓装置において、前記ロック機構は、蓋体の回動端に設けられた係合部に係脱可能に係合する係合爪を上部に備え、前記係合部を係合爪に係合するロック姿勢と係合部を係合爪から解除するロック解除姿勢との間で横軸周りに揺動可能なロック部材と、前記ロック部材をロック姿勢においてその揺動を規制するストッパ部とを備え、前記ストッパ部は、口栓本体のロック部材よりも内側に配置され、口栓本体にロック部材とは独立して上下スライド可能に案内され、前記ロック部材には、その上下方向中間位置にストッパ部を操作可能とする中央窓が貫通形成され、前記中央窓を通して外側から前記ストッパ部を操作可能とする操作部が前記ストッパ部と一体形成されたことを特徴とする。
【００１４】
上記構成においては、ストッパ部は、口栓本体においてロック部材内側に配置されているので、上下方向にロック部材とストッパ部とが配列されるよりもコンパクト化できる。また、ロック部材の中央窓を貫通してストッパ部の操作部を設けているので、ロック部材の外側からストッパ部を確実に操作することができる。しかも、ストッパ部の操作部の下側にロック部材の押圧操作部を配置しているので、ストッパ部の下動によるロック解除からロック部材の押圧操作部の押し動作によるロック部材の揺動に至るまでの一連の動作をワンタッチで行うことができる。
【００１５】
また、ストッパ部は、ロック部材とは独立して上下方向に移動可能とされ、ロック部材およびストッパ部が独立して動作するため、両者の寸法精度に狂いが生じても、両者が確実に機能する。
【考案の効果】
【００１６】
以上のとおり、本考案によると、ストッパ部をロック部材の内側に独立して配置し、ロック部材の中央窓を通して操作可能としているので、ロック機構全体の上下方向長さがロック部材とストッパ部とを上下方向に配列するよりも小さくなり、コンパクト化が可能となる。しかも、ストッパ部はロック部材と独立して配置しているので、夫々の寸法精度のバラツキにも対応することができる。
【図面の簡単な説明】
【００１７】
【図１】蓋体の閉状態を示す飲料容器の上側部分を示す斜視図である。
【図２】図１の正面図である。
【図３】蓋体の開状態を示す飲料容器の上側部分を示す斜視図である。
【図４】ロック姿勢のロック機構を備えた口栓本体の側面断面図である。
【図５】ロック解除姿勢のロック機構を備えた口栓本体の側面断面図である。
【図６】蓋体とロック機構とを取り外した口栓本体の斜視図である。
【図７】図６の口栓本体の正面図である。
【図８】図７のＢ−Ｂ断面図である。
【図９】口栓本体のロック部材収容室を下側から見た斜視図である。
【図１０】（ａ）はロック部材のロック姿勢を示す断面図、（ｂ）はロック部材のロック解除姿勢を示す断面図である。
【図１１】（ａ）はロック部材のロック姿勢におけるロック部材の係合凹部とストッパ部の係合突起との係合状態を示す断面図、（ｂ）は同じくロック解除姿勢におけるロック部材の係合凹部とストッパ部の係合突起との離脱状態を示す断面図である。
【図１２】（ａ）はロック機構を前面側から見た分解斜視図、（ｂ）はロック機構を裏面側から見た分解斜視図、（ｃ）はロック機構の側面から見た分解断面図である。
【考案を実施するための形態】
【００１８】
以下、本考案の実施形態を図面に基づいて説明する。本実施形態は、携帯用の取手がついた２リットル飲料容器に本考案を適用した例を示す。
【００１９】
図４及び図５に示すように、携帯用飲料容器１は、内筒２ａとその外側に配された外筒２ｂとの間を真空引きした断熱性のある容器本体２と、この容器本体２の上端の口元外周に被着された口栓本体３と、口栓本体３の後方にヒンジ軸４を介して枢着された蓋体５と、この蓋体５の回動端（前端）を口栓本体３に対して閉姿勢にロック可能なロック機構６とを備えている。
【００２０】
容器本体２は、有底筒状に形成されており、上端に口栓本体３を被着する開口が形成されている。容器本体２を構成する内筒２ａ及び外筒２ｂは、ステンレス等の金属材料により構成される周知構造のものである。この金属製の容器本体２の口部の外周に合成樹脂製の円筒状肩部材２ｃが装着される。肩部材２ｃの上部外周には口栓本体３を螺着するための雄ネジ２ｄが形成されている。
【００２１】
口栓本体３は、合成樹脂製で天面付きの逆椀状部材であって、その天面には筒状の注出口３ａが上方へ突出形成される。口栓本体３の下端内周面には肩部材２ｃの雄ネジ２ｄに螺着する雌ネジ３ｄが形成され、これらが雌雄のネジ２ｄ、３ｄが螺合することにより、口栓本体３が容器本体２の上端の口元外周に肩部材２ｃを介して螺着される。
【００２２】
蓋体５は、その後方部が口栓本体３の天面部においてヒンジ軸４を介して開閉回動可能に枢支される。蓋体５は、ヒンジ軸４に巻回された図示しないコイルばねによって、開放方向に付勢されている。蓋体５の内側には筒状に立設された注出口３ａに、内嵌合して注出口３ａを閉塞する突部８が形成される。
【００２３】
蓋体５を閉姿勢にロックするロック機構６は、蓋体５の回動端（前端）に設けられた係合部９に係脱可能に係合するロック部材１０と、このロック部材１０のロック姿勢においてロック部材１０の揺動を規制するストッパ部１１とを備えている。ロック部材１０及びストッパ部１１は、口栓本体３の前端部において、口栓本体３及び蓋体５の前端に形成された保護壁１２に囲まれた収容室１３に収容されている。すなわち、ロック機構６が収容室１３に収容されている。
【００２４】
保護壁１２は、図１及び図２に示すように、口栓本体３の前面に突出して形成された、左右の側壁と底壁とからなるＵ字状の壁と、その開放端に対向して蓋体５の前面に突出形成された、左右の短い側壁とその上端に差し渡された上壁とからなる逆Ｕ字状の壁とを備えている。そして、蓋体５の閉姿勢で、下側のＵ字状の壁と上側の逆Ｕ字状の壁の対向する上下の側壁が互いに接触して矩形枠状の保護壁１２を形成している。
【００２５】
図５に示すように、蓋体５の係合部９は、保護壁１２の逆Ｕ字状の壁の内側で鉤形に切欠かれて形成されている。
【００２６】
一方、ロック部材１０は、収容室１３において、Ｕ字状の保護壁１２の内側に横軸１４を介して揺動可能に軸支される。ロック部材１０は、合成樹脂製の部材であって、上部背面側に突出する係合爪１５を備え、下部表面側にロック部材１０を操作するための押圧操作部１６を備えている。そして、ロック部材１０は、係合部９を係合爪１５に係合するロック姿勢と、係合部９を係合爪１５から解除するロック解除姿勢との間で横軸１４周りに揺動可能に支持されている。係合爪１５は保護壁１２のうちＵ字状の壁よりも上方に突出して設けられ、蓋体５の係合部と係脱可能に係止されるようになっている。
【００２７】
前記ロック部材１０には、図１２に示すように、横軸１４よりも上下方向上側で、ロック部材の上下中間位置にストッパ部１１を操作可能とする中央窓１８が貫通形成されている。中央窓１８は矩形状に形成され、ストッパ部１１の上下ストロークよりも若干大きめに形成されている。また、中央窓１８は、ストッパ部１１の前面側に突出されたストッパ操作部１９を後方から前方側に臨ませ、ストッパ操作部１９を前面側から操作可能な大きさに形成されている。中央窓１８の周囲は面取りされ、手指をストッパ操作部１９側に侵入しやすいようにしている。なお、ストッパ部１１を操作するストッパ操作部１９は保護壁１２の高さよりも低く設定され、保護壁１２から後退した位置に配置される。
【００２８】
ロック部材１０には、ストッパ部１１の係合突起２１と係合する係合凹部２０が形成されている。係合凹部２０は、ロック部材１０の中央窓１８よりも上側で、かつ係合爪１５よりも下側において、裏面側に突出する突出部に下開放状態で形成される。この係合凹部２０には、ストッパ部１１の係合突起２１が侵入可能とされる。ロック部材１０のロック姿勢で、ストッパ部１１の係合突起２１とロック部材１０の係合凹部２０とが嵌め込まれるが、両者の間の寸法精度の違いを許容するため、両者間には隙間２３が形成され、両者の係合状態で互いに接触するのを防止している。
【００２９】
ロック部材１０は、横軸１４よりも下方の表面側にロック部材１０を押圧操作するための押圧操作部１６が段差状に突出形成される。この押圧操作部１６の裏面側と収容室１３の底面との間に、ロック部材１０を係合爪１５の係合方向に付勢するコイル状の付勢バネ２６が介在されている。
【００３０】
ストッパ部１１は、図１２に示すように、横型直方体形状に形成され、前面には、前記ロック部材１０の中央窓１８を通して外側からストッパ部１１を操作可能とするためのストッパ操作部１９がストッパ部１１と一体形成されている。
【００３１】
ストッパ部１１の上面前部には、ロック部材１０の係合凹部２０に侵入可能な係合突起２１が形成される。ストッパ部１１の後面の左右両側にはスライドレール２７が突出形成され、図９に示すように、収容室１３の底部の左右一対の案内壁２８に嵌合され、該案内壁２８に沿って上下方向にスライド可能に案内される。これは、ストッパ部１１が、収容室１３においてロック部材１０よりも内側に配置され、収容室１３にロック部材１０とは独立して上下スライド可能に案内されることになる。
【００３２】
また、ストッパ部１１は、その側面に上下方向の縦穴３０が貫通形成され、縦穴３０に口栓本体側の収容室１３の側面からのガイド軸３１が挿入され、縦穴３０の上下方向長さ分だけ上下方向に移動可能とされている。なお、縦穴３０は、ストッパ部１１の側面において左右方向に貫通形成される以外に、凹状に切欠き形成される態様であってもよい。
【００３３】
ストッパ部１１を上下移動方向の上位置において、その上姿勢を維持するためのストッパ部案内部材３２が、口栓本体３の収容室１３の底部に設けられている。そして、ストッパ部１１の後端と案内部材３２とのうちのいずれか一方に形成された窪み３３と、他方に形成され窪み３３に弾性的に接触する凸部３４とを備え、前記窪み３３に凸部３４が嵌合することによりストッパ部１１が上姿勢を維持できるようになっている。
【００３４】
本実施形態では、ストッパ部１１の後面の中央に凸部３４が形成され、これに対向するように案内部材３２の案内片に窪み３３が形成されている。なお、本例とは逆に、ストッパ部１１の後面に窪み３３を形成し、案内部材３２に凸部３４を形成する態様であってもよい。
【００３５】
案内部材３２は、図１２に示すように、矩形枠状に形成され、その上辺の中央から側面視波形の案内片３５が片持ち状に垂下されている。そして、ストッパ部１１の上位置で、ストッパ部１１の凸部３４が案内片３５の窪み３３に弾性的に係合し、ストッパ部１１の自重による下動を阻止している。
【００３６】
図１１及び図１２に示すように、案内部材３２の矩形枠の上辺には上側係合部３６が後方に突設され、また、矩形枠の下辺から下側係合部３７が後方に突設される。これらの上下の係合部３６，３７は収容室１３の底部に形成された上下の係合孔３８，３９に着脱可能に係合されている。上下の係合部３６，３７により案内部材３２を収容室１３に装着するため、案内部材３２が安定した状態で収容室１３に装着される。
【００３７】
以下、片開き蓋体５のロック動作とロック解除動作について説明する。図４は片開き蓋体５のロック状態を示す。図５は蓋体５のロック解除状態と蓋体５の開放状態を示す。また、図１０（ａ）および図１１（ａ）は蓋体５のロック状態を示し、図１０（ｂ）および図１１（ｂ）は蓋体５のロック解除状態を示す。
【００３８】
図４の蓋体５のロック状態では、ストッパ部１１が上位置にあり、ロック部材１０の係合凹部２０にストッパ部１１の係合突起２１が侵入している状態となる。ストッパ部１１の上位置では、ストッパ部１１の後面の凸部３４が案内部材３２の窪み３３に弾性的に係合し、ストッパ部１１の姿勢を維持する。そのため、ロック部材１０の押圧操作部１６を後方に押してロック部材１０を揺動させようとしても、ロック部材１０の係合凹部２０の壁面がストッパ部１１の係合突起２１に当たり、ロック部材１０の揺動を規制し、ロック姿勢を維持する。
【００３９】
このとき、ロック部材１０のロック姿勢で、ストッパ部１１の係合突起２１とロック部材１０の係合凹部２０との間に寸法精度が異なっていても、これを許容できる隙間２３が形成されているので、ストッパ部１１の係合突起２１とロック部材１０の係合凹部２０とが、余裕をもった状態で嵌まり合うことになる。このような係合状態であってもロック部材１０の回動を十分規制することができるため、高い寸法精度を要求されない利点がある。
【００４０】
ロック部材１０のロック姿勢からロック解除するには、ロック部材１０の中央窓１８を通してストッパ操作部１９を操作者の指で下動させる。そうすると、ストッパ部１１の下側への操作力により、ストッパ部１１の後ろ側にある凸部３４が案内部材３２の窪み３３から外れる。ストッパ部１１が下方向へ移動可能となる。ストッパ部１１の上下方向への移動長さはストッパ部１１の縦穴３０の縦方向長さにより決定される。ストッパ部１１の上下方向の移動長さを、ロック部材１０の中央窓１８の上下辺の位置によっても設定することができるが、中央窓１８の上下寸法をストッパ部１１の上下方向移動長さに合わせて設定しなければならず、両者の寸法精度の相違により、ストッパ部１１の上下移動長さが狂う可能性がある。本例のように、ストッパ部１１の縦穴３０の上下長さにより設定する方が寸法精度の相違に対応しやすいので好ましい。
【００４１】
そして、縦穴３０の上端を収容室１３のガイド軸３１に当たるまでストッパ部１１を下動させたとき、ストッパ部１１の係合突起２１がロック部材１０の係合凹部２０から外れ、ロック部材１０が揺動可能となる。この状態で、ロック部材１０の押圧操作部１６を後方に押すと、ロック部材１０が横軸１４周りに揺動し、ロック部材１０の上端にある係合爪１５が蓋体５の係合部９から外れる。蓋体５のロックが外れると、蓋体５は、図示しないコイルばねの付勢力によりヒンジ軸４の周りに上回動して片開き蓋体５が開放される。
【００４２】
以上の通り、本実施形態では、容器本体の口元外周に注出口３ｃを有する口栓本体３が螺着され、口栓本体３に注出口３ｃを開閉可能とする蓋体５がヒンジ軸４を介して回動可能に設けられ、蓋体５の回動端を口栓本体３に対して閉姿勢にロック可能なロック機構６が設けられ、このロック機構６は、蓋体５の回動端に設けられた係合部９に係脱可能に係合する係合爪１５を上部に備え、下部に押圧操作部１６を備え、係合部９を係合爪１５に係合するロック姿勢と係合部９を係合爪１５から離脱解除するロック解除姿勢との間で横軸１４周りに揺動可能なロック部材１０と、ロック部材１０をロック姿勢において、その揺動を規制するストッパ部１１とを備え、ストッパ部１１は、口栓本体３のロック部材１０よりも内側に配置され、口栓本体３にロック部材１０とは独立して上下スライド可能に案内され、ロック部材１０には、その上下方向中間位置にストッパ部１１を操作可能とする中央窓１８が貫通形成され、この中央窓１８を通して外側からストッパ部１１を操作可能とする操作部１９がストッパ部１１と一体形成されている。
【００４３】
したがって、ストッパ部１１は、口栓本体３においてロック部材１０の内側に配置されているので、上下方向にロック部材とストッパ部とが配列されるよりもコンパクト化できる。また、ロック部材１０の中央窓１８を貫通してストッパ部１１の操作部１９を設けているので、ロック部材１０の外側からストッパ部１１を確実に操作することができる。しかも、ストッパ部１１の操作部１９の下側にロック部材１０の押圧操作部１６を配置しているので、ストッパ部１１の下動によるロック解除からロック部材１０の押圧操作部１６の押し動作によるロック部材１０の揺動に至る一連の動作をワンタッチで行うことができる。
【００４４】
また、ストッパ部１１は、ロック部材１０とは独立して上下方向に移動可能とされ、すなわち、ロック部材１０およびストッパ部１１とが独立して動作するため、両者の寸法精度に狂いが生じても、両者が確実に機能する。ストッパ部１１をロック部材１０とは独立して動作させるため、ストッパ部１１の後面の左右両側のスライドレール２７が収容室１３の底部の左右一対の案内壁２８に嵌合されているので、ストッパ部１１は、案内壁２８に沿って上下方向に確実に案内される。
【００４５】
また、ストッパ部１１は、その上下方向の縦穴３０が形成され、縦穴３０に口栓本体３側からのガイド軸３１が挿入され、ストッパ部１１は、縦穴３０の上下方向長さ分だけ上下方向に移動可能とされている。そのため、ストッパ部１１は、ロック部材１０とは独立して口栓本体３に確実に上下方向に移動案内される。
【００４６】
また、ストッパ部１１の上端にロック部材１０をロック姿勢で揺動するのを阻止する係合突起２１が突設され、この係合突起２１がストッパ部１１の上下移動方向の上位置において、ロック部材１０の裏面に形成された下開放の係合凹部２０に侵入可能とされ、ロック部材１０のロック姿勢でかつストッパ部１１の上下移動方向の上位置で、係合突起２１が係合凹部２０に入り込み、ロック部材１０を横軸１４周りに回動させようとしても係合凹部２０の側壁にストッパ部１１の係合突起２１が当接してロック部材１０の揺動を規制する。
【００４７】
このとき、ロック部材１０のロック姿勢で、ストッパ部１１の係合突起２１とロック部材１０の係合凹部２０との間に寸法精度の違いを許容するための隙間が形成される。すなわち、ストッパ部１１の係合突起２１とロック部材１０の係合凹部２０とは余裕をもった寸法で嵌まり合うようにしているので、ロック部材１０の揺動を十分規制することができ、高い寸法精度も要求されないという利点がある。
【００４８】
さらに、ストッパ部１１を上下移動方向の上位置において、その上姿勢を維持するためのストッパ部案内部材３２が口栓本体３の収容室１３に設けられ、案内部材３２にはストッパ部１１の後端と案内部材３２とのうちのいずれか一方に形成された窪みと、他方に形成され前記窪みに弾性的に接触する凸部とを備え、ストッパ部１１を上姿勢に維持してロック部材１０のロック姿勢を維持できる態様になっている。このとき、ストッパ部と口栓本体のいずれか一方の窪み３３と他方の凸部３４とが弾性的に接触する態様になっているので、ストッパ部１１を確実にロック姿勢に維持することができる。
【００４９】
また、ストッパ部案内部材３２の裏面の上下部には口栓本体３に係合するための係合部３６，３７が形成され、案内部材３２が口栓本体３の係合孔３８，３９に着脱可能に嵌めこまれている。案内部材３２を口栓本体３と一体形成することも可能であるが、案内部材３２の窪み３３あるいは凸部３４の成形を考慮すれば、案内部材３２を口栓本体３と別体で形成し、成形した案内部材３２を口栓本体３の係合孔３８，３９に着脱可能に嵌めこむ構成の方が成形上有利である。また、案内部材３２は、上下の係合部３６，３７が収容室１３の上下の係合孔３８，３９に係合する態様としているので、案内部材３２は安定した状態で収容室１３に装着することができる。
【００５０】
さらに、口栓本体３の蓋体回動端側（前端側）に保護壁１２が形成され、この保護壁１２に囲まれて収容室１３が形成され、この収容室１３にロック機構６が収容されているので、ロック機構６の各部材１０，１１，１９、３２等が操作者の手指に不用意に当たって、その姿勢が変わるのを防止することができる。
【００５１】
このとき、ストッパ部１１を操作する操作部１９を保護壁１２の高さよりも低く形成し、保護壁１２から後退した位置に配置することができる。これにより、操作者の手指が不用意に操作部１９に当たり、ストッパ部１１を動作させるのを防止することができる。
【００５２】
また、ロック部材１０は、横軸１４よりも上端側に係合爪１５を備え、横軸１４よりも下方の表面側をロック部材１０を押圧する押圧操作部１６とされ、この押圧操作部１６の裏面側と口栓本体３の収容室１３の底壁との間に、ロック部材１０を係合爪１５の係合方向に付勢する付勢バネ２６が介在されているので、ロック部材１０は付勢バネ２６により常にロック姿勢側に付勢されて、ロック姿勢を維持することができる。
【００５３】
また、蓋体５を開放方向に付勢するバネ（図示せず）がヒンジ軸４に設けられているので、蓋体５はロック機構６が解除されれば、バネにより開放側に回動し、口栓本体３の注出口３ａを露出させ、ワンタッチの操作でボトル本体内の飲料を飲むことができる。
【００５４】
なお、本考案は上記実施形態に限定されるものではなく、本考案の範囲内で多くの修正・変更を加えることができる。例えば、上記実施形態では、ストッパ部の態様として、ロック部材１０側に係合凹部２０を、ストッパ部１１側に係合突起２１を配置した例を示したが、これに限らず、係合凹部２０をストッパ部側に、係合突起２１をロック部材１０側に配置してもよい。
【００５５】
また、上記実施形態では保護壁をロック機構の全周に設けた態様を例示したが、保護壁は、全周に設ける態様に限らず、一部に設ける態様、あるいは全く設けない態様等、種々の態様を採用することができる。また、本実施形態では、口栓本体３に筒状の注出口３ａを突出した態様を例示したが、これに限らず、注出口は口栓本体３の天面凹部に形成された樋状のものであってもよい。さらに、上記実施形態では、２リットル飲料容器を例示したが、これに限らず、取手を有しない５００ミリリットルの飲料容器であってもよいことは勿論である。
【符号の説明】
【００５６】
１    携帯用飲料容器
２ａ  内筒
２ｂ    外筒
２ｃ    肩部材
２    容器本体
３    口栓本体
３ａ  注出口
４    ヒンジ軸
５    蓋体
６    ロック機構
８    突部
９    係合部
１０    ロック部材
１１    ストッパ部
１２    保護壁
１３    収容室
１４    横軸
１５    係合爪
１６    押圧操作部
１８    中央窓
１９    ストッパ操作部
２０    係合凹部
２１    係合突起
２３    隙間
２６    コイル状付勢バネ
２７    スライドレール
２８    案内壁
３０    縦穴
３１    ガイド軸
３２    案内部材
３３    窪み
３４    凸部
【図１】
0003190286.tif 000003
【図２】
0003190286.tif 000004
【図３】
0003190286.tif 000005
【図４】
0003190286.tif 000006
【図５】
0003190286.tif 000007
【図６】
0003190286.tif 000008
【図７】
0003190286.tif 000009
【図８】
0003190286.tif 000010
【図９】
0003190286.tif 000011
【図１０】
0003190286.tif 000012
【図１１】
0003190286.tif 000013
【図１２】
0003190286.tif 000014